(57)【要約】【課題】鴨居などに掛ける際に枠体の水平状態を保持でき、かつ干す洗濯物の種類や数または窓や壁から距離どが異なっていた場合でも常に水平状態を保持することができる物干し具を提供する。【解決手段】フック部材２を設けたフック台３と、ワイヤー部材４を介して懸架された方形の枠体１と、複数個のピンチｔと備えた物干し具において、フック台３は四隅近傍に貫通穴５が穿設され、ワイヤー部材４は枠体１の対向辺部１ａ、１ｂに配設され、一端部４ａが枠体１の対向辺部１ａ、１ｂの一隅部１ｃに接続され、他端部１ｄがフック台３の貫通穴５に挿通され、さらに隣り合う貫通穴５に挿通され、他隅部１ｄに接続されてなり、ワイヤー部材４には、フック台３が他隅部１ｄ側にワイヤー部材４に沿って移動した際に、フック台３の他隅部１ｄ側に穿設されている貫通穴５の下部側に当接して、フック台３の他隅部１ｄ側の移動を抑止する第１のストッパ部材６ａが固着されている。【選択図】図１
2011024875.tif 000002
【特許請求の範囲】
【請求項１】
フック部材が設けられたフック台と、このフック台に２本のワイヤー部材を介して懸架された方形の枠体と、この枠体に懸架された複数個のピンチとを備えた物干し具において、
上記フック台は、方形をなし、四隅近傍に貫通穴が穿設され、
上記２本のワイヤー部材は、各々上記枠体の対向辺部に配設されるとともに、一端部が各々上記枠体の上記対向辺部の一隅部に接続され、他端部が各々上記フック台の上記貫通穴の下方より挿通され、さらに隣り合う別の上記貫通穴の上方より挿通されて、各々上記対向辺部の他隅部に接続されてなり、
上記ワイヤー部材の各々には、上記フック台が上記枠体の上記対向辺部の上記他隅部側に上記２本のワイヤー部材に沿って移動した際に、上記フック台の上記他隅部側に穿設されている上記貫通穴の下部側に当接して、上記フック台の上記他隅部側の移動を抑止する第１のストッパ部材が固着されていることを特徴とする物干し具。
【請求項２】
上記フック台は、正方形をなし、その一辺の長さが３０〜７０ｍｍに形成されるとともに、上記貫通穴は、隣り合う上記貫通穴との間隔が２０〜６０ｍｍの長さに配置され、かつ上記貫通穴が上記ワイヤー部材の外径に対し倍の径により穿設されていることを特徴とする請求項１に記載の物干し具。
【請求項３】
上記２本のワイヤー部材の各々には、上記フック台が枠体の中央上方の位置にあるときに、上記フック台の上記一隅部側に穿設されている上記貫通穴の下部側に当接して、上記フック台の上記一隅部側の移動を抑止する第２のストッパ部材が固着されるとともに、上記第１のストッパー部材と当該第２のストッパー部材とが間隔を置いて各々固着されていることを特徴とする請求項１または２に記載の物干し具。
【請求項４】
上記第１のストッパー部材と上記第２のストッパー部材とは、その対向端部の間隔を７０〜１４０ｍｍとし、上記ワイヤー部材の中央部より上記第１のストッパー部材の端部側に６０〜１００ｍｍ、上記第２のストッパー部材の端部側に１０〜４０ｍｍに配分され配設されていることを特徴とする請求項３に記載の物干し具。
【請求項５】
上記ワイヤー部材は、各々のがステンレスにより形成されていることを特徴とする請求項１〜４のいずれか１項に記載の物干し具。
【発明の詳細な説明】
【技術分野】
【０００１】
本発明は、洗濯物をカーテンレールや鴨居などを利用して干す際に、ピンチが懸架された枠体を水平状態に保持可能にした物干し具に関するものである。
【背景技術】
【０００２】
従来から、衣類などの洗濯物を曇天時や雨天時、または住宅事情などによって、屋外に干せない場合には、室内のカーテンレールや鴨居などを利用して、洗濯物を干していた。この際に用いられる物干し具は、物干し竿などに掛けるフック部と、このフック部にワイヤーやチェーンなどを接続することにより懸架された円形または角形の枠体と、この枠体に懸架された複数個のピンチとによって構成されていた。また、物干し竿に吊したときに、上記枠体が水平になるように、上記フック部が、上記枠体の中央上方に配設されていた。
【０００３】
しかし、このような従来の物干し具を室内のカーテンレールや鴨居などに干した場合には、窓や壁に上記枠体が当接してしまうため、上記枠体は傾斜した状態になってしまう。これにより、窓や壁に洗濯物が接触してしまい、洗濯物が汚れてしまったり、洗濯物同士が接触して乾燥に時間が掛かってしまうという問題があった。
【０００４】
そこで、下記特許文献１においては、洗濯物を挟持する複数のピンチコックを吊り下げた２つの枠体を、上方に係止部を備えた支持部材に丁番状に展開可能に軸支して、上記係止部が上記支持部材の長手方向に移動可能になるように、上記支持部材の上方に溝を設け、この溝と上記係止部の係止部材とを凹凸係止させ摺動可能にし、カーテンレールなどに吊した場合でも、上記係止部材が移動することにより、上記枠体が水平状態を保てるようにした物干し具が提案されている。
【０００５】
また、下記特許文献２においては、物干し本体の各線条体の一端部が連結される複数の連結部を有しており、上記各線条体を前記複数の連結部から選択される第１の連結部群に連結することによって、吊掛具が前記物干し本体の中央上方に配置され、上記物干し本体の水平が維持され、一方、上記各線条体を上記複数の連結部から選択される第２の連結部群に連結することによって、上記吊掛具が上記物干し本体の中央からずれた位置に配置され、カーテンレールや鴨居なでに掛けた場合に、上記物干し本体の水平が維持される物干し具が提案されている。
【先行技術文献】
【特許文献】
【０００６】
【特許文献１】特開２００２−１６６０９７号公報
【特許文献２】特開２００７−２３６８４６号公報
【発明の概要】
【０００７】
ところが、特許文献１の従来の物干し具は、フック状の上記係止部を上記支持部材の長手方向に移動可能にし、カーテンレールや鴨居などに吊した場合でも、上記枠体を水平状態に保つことができるように、上記支持部材の上方に溝を設け、この溝と上記係止部の係止部材とを凹凸係止される構造のものであるため、上記支持部材および上記係止部材を頑丈に形成する必要がある。これにより、物干し具全体が重くなるとともに、製造コストが嵩むという問題がある。
【０００８】
また、支持部材が長手方向に移動する際に、その移動を抑止するための手段として、凹凸を用いた係止構造を用いるため、物干し本体に干す洗濯物の種類や数により、その傾き加減が変わってしまった場合には、微妙な調整をすることができず、枠体の水平を維持することが難しという問題もある。
【０００９】
一方、特許文献２の従来の物干し具においては、カーテンレールや鴨居などに掛ける場合に、物干し本体の各線条体の一端部が連結される複数の連結部を、その都度掛け替える必要があるため、屋外に干してあった上記物干し本体を、突然の雨により室内に干す場合には、上記各線条体の掛け替え作業に時間を費やすとともに、吊した状態では掛け替えることが難しいため、床などに一旦置く必要があり、洗濯物が汚れてしまうという問題もある。
【００１０】
本発明は、かかる事情に鑑みてなされたもので、カーテンレールや鴨居などに掛ける際に、簡単な構造により、枠体の水平状態を保持することができ、かつ干す洗濯物の種類や数または窓や壁から距離どが異なっていた場合でも、微調整することにより、常に水平状態を保持することができる物干し具を提供することを課題とするものである。
【課題を解決するための手段】
【００１１】
上記課題を解決するために、請求項１に記載の発明は、フック部材が設けられたフック台と、このフック台に２本のワイヤー部材を介して懸架された方形の枠体と、この枠体に懸架された複数個のピンチとを備えた物干し具において、上記フック台は、方形をなし、四隅近傍に貫通穴が穿設され、上記２本のワイヤー部材は、各々上記枠体の対向辺部に配設されるとともに、一端部が各々上記枠体の上記対向辺部の一隅部に接続され、他端部が各々上記フック台の上記貫通穴の下方より挿通され、さらに隣り合う別の上記貫通穴の上方より挿通されて、各々上記対向辺部の他隅部に接続されてなり、上記ワイヤー部材の各々には、上記フック台が上記枠体の上記対向辺部の上記他隅部側に上記２本のワイヤー部材に沿って移動した際に、上記フック台の上記他隅部側に穿設されている上記貫通穴の下部側に当接して、上記フック台の上記他隅部側の移動を抑止する第１のストッパ部材が固着されていることを特徴とするものである。
【００１２】
また、請求項２に記載の発明は、請求項１に記載の物干し具において、上記フック台は、正方形をなし、その一辺の長さが３０〜７０ｍｍに形成されるとともに、上記貫通穴は、隣り合う上記貫通穴との間隔が２０〜６０ｍｍの長さに配置され、かつ上記貫通穴が上記ワイヤー部材の外径に対し倍の径により穿設されていることを特徴とするものである。
【００１３】
そして、請求項３に記載の本発明は、請求項１または２に記載の物干し具において、上記２本のワイヤー部材の各々には、上記フック台が枠体の中央上方の位置にあるときに、上記フック台の上記一隅部側に穿設されている上記貫通穴の下部側に当接して、上記フック台の上記一隅部側の移動を抑止する第２のストッパ部材が固着されるとともに、上記第１のストッパー部材と当該第２のストッパー部材とが間隔を置いて各々固着されていることを特徴とするものである。
【００１４】
さらに、請求項４に記載の本発明は、請求項３に記載の物干し具において、上記第１のストッパー部材と上記第２のストッパー部材とは、その対向端部の間隔を７０〜１４０ｍｍとし、上記ワイヤー部材の中央部より上記第１のストッパー部材の端部側に６０〜１００ｍｍ、上記第２のストッパー部材の端部側に１０〜４０ｍｍに配分され配設されていることを特徴とするものである。
【００１５】
また、請求項５に記載の本発明は、請求項１〜４のいずれか１項に記載の物干し具において、上記ワイヤー部材は、各々のがステンレスにより形成されていることを特徴とするものである。
【発明の効果】
【００１６】
請求項１〜５に記載の本発明によれば、方形に形成されたフック台は、その四隅に貫通穴を有するとともに、隣り合う当該貫通穴に、２本のワイヤー部材を各々挿通させ、この２本のワイヤー部材を介して移動可能に設けられている。このため、屋外など広い場所において、物干し竿などにフック部材を掛けて使用する場合には、上記フック台に設けられたフック部材を物干し具の枠体の中央上方に位置させることによって、当該枠体を水平状態に保持することができる。一方、室内のカーテンレールや鴨居などにフック部材を掛けて使用する場合には、当該枠体が当接する窓や壁の方向に、上記フック台を移動させることによって、当該枠体を水平状態に保持することができる。
【００１７】
また、上記２本のワイヤー部材の各々には、上記フック台の移動を抑止する第１のストッパー部材が、上記枠体の対向辺部の他隅部側に固着されているため、カーテンレールや鴨居などに吊す際に、上記フック台を上記対向辺部の上記他隅部側の当該第１のストッパー部材まで移動させることにより、上記枠体を水平状態に保持させることができる。これにより、上記フック台が上記他隅部側に行き過ぎることなく、上記枠体の水平状態を保持することができる。この結果、構造を簡単にすることができるとともに、軽量化を図ることができる。
【００１８】
請求項２に記載の発明によれば、上記フック台を、正方形に形成し、その一辺の長さを３０〜７０ｍｍにするとともに、隣り合う上記貫通穴の間隔を２０〜６０ｍｍの長さに配置し、さらに上記貫通穴を上記ワイヤー部材の外径に対し、倍の径に穿設しているため、上記フック台を２本のワイヤー部材に沿ってスムーズに移動させることができ、洗濯物を上記枠体の複数個のピンチに吊した状態のまま、上記フック台を簡便に移動させることができる。さらに、洗濯物を吊した後は、その重みにより、上記２本のワイヤー部材の各々と、上記フック台の隣り合う上記貫通穴とが摩擦力により係止されるため、上記枠体に不慮の力が掛かった場合であっても、上記フック台が上記ワイヤー部材上を滑ることがない。これにより、移動を容易にする構造やズレを防止する構造を別途設ける必要がないため、コストを抑えた物干し具を提供することができる。
【００１９】
請求項３に記載の発明によれば、上記２本のワイヤー部材の各々には、上記フック台の上記貫通穴の内、上記対向辺部の一隅部側に穿設されている貫通穴の下部側に当接される第２のストッパー部材が固着されているため、上記フック台を当該第２のストッパー部材に当接させることにより、上記枠体の中央上方に位置させことができる。この結果、屋外などの物干し竿に吊す場合に、上記枠体の水平状態を簡便に保持させることができる。
【００２０】
また、上記２本のワイヤー部材の各々には、上記第１のストッパー部材と上記第２のストッパー部材とが間隔を置いて固着されているため、この間隔内に介在された上記フック台を、上記第１のストッパー部材または上記第２のストッパー部材に当接させることによって、上記枠体の水平状態を維持させることができる。これにより、物干し竿やカーテンレールまたは鴨居など、吊す場所に応じて適切な移動を行うことができるとともに、吊す場所に限定されることなく使用することができる。
【００２１】
請求項４に記載の発明によれば、上記第１のストッパー部材と上記第２のストッパー部材とは、その対向端部の間隔を７０〜１４０ｍｍとし、上記ワイヤー部材の中央部より上記第１のストッパー部材の端部側を６０〜１００ｍｍに、上記第２のストッパー部材の端部側を１０〜４０ｍｍに配分して配設されているため、上記フック台を上記枠体の大きさに応じて移動することができる。これにより、上記枠体の水平状態を簡便に保持することができる。また、上記第１のストッパー部材と上記第２のストッパー部材との対向端部間であれば、細かな移動も行うことができ、上記枠体の複数個のピンチに、その都度干す洗濯物が異なっていた場合や、上記フック部材の掛ける位置と窓や壁との距離が異なっていた場合でも、上記フック台の位置を微調整することにより、上記枠体を常に水平状態に保持することができる。
【００２２】
請求項５に記載の発明によれば、上記ワイヤー部材は、その材質がステンレスにより形成されているため、、水に強く屋外に干した場合であっても、錆びたりすることがない。また、経年変化による劣化や破損が少ないため、長期間使用することができる。この結果、ゴミの量を減らすことができ、環境に配慮した物干し具を提供することができる。
【図面の簡単な説明】
【００２３】
【図１】本発明の物干し具の一実施形態を示す斜視図である。
【図２】本発明の物干し具の一実施形態を示す正面図である。
【図３】本発明の物干し具の一実施形態を示す平面図である。
【図４】本発明の物干し具のフック台の平面図である。
【図５】本発明の物干し具のワイヤー部材の平面図である。
【図６】本発明の物干し具の一のフック台の移動状態の説明図である。
【図７】本発明の物干し具を鴨居に掛けた状態を示す斜視図である。
【図８】本発明の物干し具を鴨居に掛けた状態を示す正面図である。
【図９】本発明の物干し具を鴨居に掛けた状態を示す平面図である。
【図１０】本発明の物干し具を畳んだ状態を示す斜視図である。
【発明を実施するための形態】
【００２４】
図１〜１０は、本発明の物干し具の一実施形態を示すものである。
図１〜３に示すように、本発明の物干し具は、フック部材２が設けられたフック台３と、このフック台３に２本のワイヤー部材４、４を介して懸架されるとともに、対向する辺部１ｅ、１ｆに設けられたヒンジ部材７、７により折り畳み自在に形成された方形の枠体１と、この枠体１に懸架された複数個のピンチｔとを備えて概略構成されている。
【００２５】
また、フック台３は、図４に示すように、ステンレスなどの金属により、その一辺が３０〜７０ｍｍの長さＡの正方形の板状に形成されている。このフック台３には、四隅近傍に貫通穴５が穿設されているとともに、この貫通穴５は、隣り合う貫通穴５、５の間隔が、２０〜６０ｍｍの長さＢに配置されている。さらに、貫通穴５は、ワイヤー部材４の外径に対して、倍の径により穿設されている。また、フック台３の中央には、フック部材２を回転自在に取り付ける取付穴３ａが貫通して穿設されている。このフック部材２は、図１、図６に示すように、物干し竿ｍや鴨居ｎに吊すための鈎状部２ａが形成されているとともに、物干し竿からの離脱を防止する掛け止め部材２ｂが開閉自在に設けられている。
【００２６】
そして、ワイヤー部材４は、図５に示すように、一端部４ａと他端部４ｂとに、枠体１に係合するための環状部が形成されている。また、このワイヤー部材４は、ステンレスにより形成されている。さらに、ワイヤー部材４には、フック台３の移動を抑止する第１のストッパー部材６ａと第２のストッパー部材６ｂとが固着して設けられている。この第１のストッパー部材６ａと第２のストッパー部材６ｂとは、その対向端部の間隔が７０〜１４０ｍｍに形成されている。そして、第１のストッパー部材６ａは、ワイヤー部材４の中央部より、枠体１の対向辺部１ａ、１ｂの他隅部１ｄ、１ｄ側に６０〜１００ｍｍの位置に、第２のストッパー部材６ｂは、ワイヤー部材４の中央部より、枠体１の対向辺部１ａ、１ｂの一隅部１ｃ、１ｃ側に１０〜４０ｍｍの位置とに配分され、２本のワイヤー部材４、４に各々に配設されている。
【００２７】
さらに、２本のワイヤー部材４、４は、図１〜３に示すように、各々が枠体１の対向辺部１ａ、１ｂに配設されるとともに、一端部４ａ、４ａが枠体１の対向辺部１ａ、１ｂの一隅部１ｃに各々接続され、他端部４ｂ、４ｂがフック台３の一隅部１ｃ側の貫通穴５、５の下方より挿通され、さらに隣り合う他隅部１ｄ側の貫通穴５、５の上方より挿通されて、対向辺部１ａ、１ｂの他隅部１ｄに各々が接続されている。
【００２８】
以上の構成による本実施形態の物干し具を用いて、カーテンレールや鴨居ｎなどに吊す場合には、まず図１〜図３、図６（ａ）に示すように、フック台３を枠体１の中央上方の位置にある状態（屋外の物干し竿に干すのに適して状態）から、２本のワイヤー部材４、４を介して、枠体１の対向辺部１ａ、１ｂの他隅部１ｄ側に移動する。このとき、フック台３は、貫通穴５、５に挿通された２本のワイヤー部材４、４に固着された第２のストッパー部材６ｂが、対向辺部１ａ、１ｂの一隅部１ｃ側の貫通穴５、５の下部側に当接されているため、一隅部１ｃ側の移動が抑止されて、移動は他隅部１ｄ側のみとなる。
【００２９】
次いで、図６（ｂ）、図７〜図９に示すように、フック台３を枠体１の対向辺部１ａ、１ｂの他隅部１ｄ側に移動する。この際、２本のワイヤー部材４、４の他隅部１ｄ側に設けられた第１のストッパー部材６ａに、フック台３の他隅部１ｄ側の貫通穴５、５の下部側が当接するまで移動させる。
【００３０】
そして、枠体１に懸架されている複数個のピンチｔに、洗濯物を挟んで吊す。このたきに、吊す洗濯物の重量や数によりバランスが悪く、枠体１の水平を保持することができない場合には、フック台３を２本のワイヤー部材４、４に沿って移動させて、微調整することにより、水平状態を保持することができる。
【００３１】
さらに、屋外の物干し竿ｍに干していた際、突然の雨により室内のカーテンレールや鴨居ｎなどに急遽干す場合には、フック台３を片手で把持し、枠体１をもう一方の手で持ち上げて、２本のワイヤー部材４、４の緊張を解いてから、把持したフック台３を２本のワイヤー部材４、４に沿って、枠体１の対向辺部１ａ、１ｂの他隅部１ｄ側に移動させる。このときに、フック台３の他隅部１ｄ側の貫通穴５、５の下部側を、２本のワイヤー部材４、４の他隅部１ｄ側に設けられた第１のストッパー部材６ａに当接させる。そして、フック台３に設けられているフック部材２の鈎状部２aを、カーテンレールや鴨居ｎに掛ける。
【００３２】
また、屋外から室内のカーテンレールや鴨居ｎに急遽干す場合に、ピンチｔに吊してある洗濯物の重量が重く、片手での操作が困難な場合には、フック台３の移動を行わずに、一旦カーテンレールや鴨居ｎにフック部材２の鈎状部２ａを掛けてから、枠体１を両手で持ち上げ、２本のワイヤー部材４、４の緊張を解き、枠体１を対応辺部１ａ、１ｂの一隅部１ｃ側に移動させる。これにより、フック台３の貫通穴５内を、２本のワイヤー部材４、４が摺動することにより、フック台３が枠体１の対向辺部１ａ、１ｂの他隅部１ｄ側に移動し、枠体１の水平状態を保持することができる。
【００３３】
そして、使用後は、図１０に示すように、枠体１の対向する辺部１ｅ、１ｆに設けられたヒンジ部７、７を回動させて、枠体１を複数個のピンチｔ側に折り畳む。このとき、可撓性を有するワイヤー部材４によって、フック部材２が設けられたフック台３は、邪魔になることなく、コンパクトに収納される。
【００３４】
上述の実施形態による物干し具によれば、正方形に形成されたフック台３は、その四隅に貫通穴５を有するとともに、隣り合う貫通穴５、５に、２本のワイヤー部材４、４を各々挿通させ、この２本のワイヤー部材４、４を介して移動可能に設けられている。このため、屋外など広い場所において、物干し竿ｍなどにフック部材２を掛けて使用する場合には、フック台３に設けられたフック部材２を物干し具の枠体１の中央上方に位置させることによって、枠体１を水平状態に保持することができる。一方、室内のカーテンレールや鴨居ｎなどにフック部材２を掛けて使用する場合には、枠体１が当接する窓や壁の方向に、フック台３を移動させることによって、枠体１を水平状態に保持することができる。
【００３５】
また、２本のワイヤー部材４、４の各々には、フック台３の移動を抑止する第１のストッパー部材６ａが、枠体１の対向辺部１ａ、１ｂの他隅部１ｄ側に固着されているため、カーテンレールや鴨居ｎなどに吊す際に、フック台３を対向辺部１ａ、１ｂの他隅部１ｄ側の第１のストッパー部材６ａまで移動させることにより、枠体１を水平状態に保持させることができる。これにより、フック台３が他隅部１ｄ側に行き過ぎることなく、枠体１の水平状態を保持することができる。この結果、構造を簡単にすることができるとともに、軽量化を図ることができる。
【００３６】
そして、正方形に形成されたフック台３は、その一辺の長さＡを４０〜５０mmにするとともに、隣り合う貫通穴５、５の間隔を２０〜６０ｍｍの長さＢに配置し、さらに貫通穴５をワイヤー部材４の外径に対し、倍の径に穿設しているため、フック台３を２本のワイヤー部材４、４に沿ってスムーズに移動させることができ、洗濯物を枠体１の複数個のピンチＴに吊した状態のまま、フック台３を簡便に移動させることができる。さらに、洗濯物を吊した後は、その重みにより、２本のワイヤー部材４、４の各々と、フック台３の隣り合う貫通穴５、５とが摩擦力により係止されるため、枠体１に不慮の力が掛かった場合であっても、フック台３がワイヤー部材４上を滑ることがない。これにより、移動を容易にする構造やズレを防止する構造を別途設ける必要がないため、コストを抑えた物干し具を提供することができる。
【００３７】
さらに、２本のワイヤー部材４、４の各々には、フック台３の貫通穴５の内、対向辺部１ａ、１ｂの一隅部１ｃ側に穿設されている貫通穴５、５の下部側に当接される第２のストッパー部材６ｂが固着されているため、フック台３を第２のストッパー部材６ｂに当接させることにより、枠体１の中央上方に位置させことができる。この結果、屋外などの物干し竿ｍに吊す場合に、枠体１の水平状態を簡便に保持させることができる。
【００３８】
また、２本のワイヤー部材４、４の各々には、第１のストッパー部材６ａと第２のストッパー部材６ｂとが間隔を置いて固着されているため、この間隔内に介在されたフック台３を、第１のストッパー部材６ａまたは第２のストッパー部材６ｂに当接させることによって、枠体１の水平状態を維持させることができる。これにより、物干し竿ｍやカーテンレールまたは鴨居ｎなど、吊す場所に応じて適切な移動を行うことができるとともに、吊す場所に限定されることなく使用することができる。
【００３９】
そして、第１のストッパー部材６ａと第２のストッパー部材６ｂとは、その対向端部の間隔を７０〜１４０ｍｍとし、ワイヤー部材４の中央部より第１のストッパー部材６ａの端部側を６０〜１００ｍｍに、第２のストッパー部材６ｂの端部側を１０〜４０ｍｍに配分して配設されているため、フック台３を枠体１の大きさに応じて移動することができる。これにより、枠体１の水平状態を簡便に保持することができる。また、第１のストッパー部材６ａと第２のストッパー部材６ｂとの対向端部間であれば、細かな移動も行うことができ、枠体１の複数個のピンチｔに、その都度干す洗濯物が異なっていた場合や、フック部材２の掛ける位置と窓や壁との距離が異なっていた場合でも、フック台３の位置を微調整することにより、枠体１を常に水平状態に保持することができる。
【００４０】
さらに、ワイヤー部材４は、その材質がステンレスにより形成されているため、、水に強く屋外に干した場合であっても、錆びたりすることがない。また、経年変化による劣化や破損が少ないため、長期間使用することができる。この結果、ゴミの量を減らすことができ、環境に配慮した物干し具を提供することができる。
【００４１】
なお、上記実施形態において、フック台３を正方形に形成したものを用いる場合のみ説明したが、これに限定されるものではなく、例えば、長方形でも円形でも、隣り合う貫通穴５、５の間隔を同じにすることにより対応可能である。また、枠体１を折り畳み可能にしたものを用いる場合のみ説明したが、これに限定されるものではなく、例えば折り畳むことができない正方形または長方形の枠体でも対応可能である。
【産業上の利用可能性】
【００４２】
物干し竿またはカーテンレールや鴨居などに利用することができる。
【符号の説明】
【００４３】
１  枠体
１ａ  辺部
１ｂ  辺部
１ｃ  一隅部
１ｄ  他隅部
２  フック部材
３  フック台
４  ワイヤー部材
４ａ  一端部
４ｂ  他端部
５  貫通穴
６ａ  第１のストッパー部材
６ｂ  第２のストッパー部材
ｔ  ピンチ
【図１】
2011024875.tif 000003
【図２】
2011024875.tif 000004
【図３】
2011024875.tif 000005
【図４】
2011024875.tif 000006
【図５】
2011024875.tif 000007
【図６】
2011024875.tif 000008
【図７】
2011024875.tif 000009
【図８】
2011024875.tif 000010
【図９】
2011024875.tif 000011
【図１０】
2011024875.tif 000012